(57)【特許請求の範囲】
【請求項１】
一枚のブランクシートの箱体形成片から成り、筒体に組み立てられた側面と、前記側面の１つに折罫線で区切られて設けられ前記筒体の上方の開口端部を閉鎖する外側上蓋片と、前記外側上蓋片が設けられた前記側面と平行に位置する側面に折罫線で区切られて設けられ前記外側上蓋片の裏面に重ねられる内側上蓋片が設けられ、
前記内側上蓋片には、前記外側上蓋片に糊付けされる糊付部が設けられ、前記糊付部は、前記内側上蓋片が設けられた前記側面と前記内側上蓋片との間の折罫線に向かって開口して前記内側上蓋片内に形成された切込線で囲まれて形成され、
前記切込線は、前記側面と前記内側上蓋片との間の前記折罫線に対して平行な直線と、この直線に連続し前記側面と前記内側上蓋片との間の前記折罫線に達する一対の脚に沿ってコの字形に形成され、前記切込線の、前記内側上蓋片と前記側面との間の前記折罫線に対して平行な前記直線に沿う部分は、紙面の厚みを貫通する全切線で形成され、前記一対の脚に沿う部分は、紙面の厚みの約半分を表面側からカットした表半切線で形成され、
前記内側上蓋片が設けられた前記側面には、該側面から前記内側上蓋片を分離する開封用破断線が設けられ、開封時には、前記開封用破断線が分離されて前記内側上蓋片が前記外側上蓋片に糊付けされた状態で開封され、
再封する際は、前記内側上蓋片の前記切込線で前記糊付部と区切られた周囲の部分を前記外側上蓋片から外し、前記内側上蓋片は前記切込線の開口した側がヒンジとなって外側上蓋片に連結し、前記筒体の裏面に差し込んで再封する差込片となることを特徴とする包装用箱。
【請求項２】
前記内側上蓋片の、前記内側上蓋片が設けられた前記側面と反対側の端部には凹部が設けられ、前記凹部の両側は外側に膨出する円弧で形成され、２つの波が連続する波形になっている請求項１記載の包装用箱。
【請求項３】
前記開封用破断線は、前記内側上蓋片が設けられた前記側面の端部から離れる方向に膨出する円弧で形成され、前記開封用破断線と該側面の端部で囲まれた半円形状の部分は、前記包装用箱を開封及び再封する際に保持する摘み部となる請求項１記載の包装用箱。
【請求項４】
前記外側上蓋片には、前記外側上蓋片と前記側面との間の前記折罫線とは反対側の端部に近い位置に、前記外側上蓋片との間の前記折罫線に対して略平行な折曲線が設けられている請求項１記載の包装用箱。
【発明の詳細な説明】
【技術分野】
【０００１】
この発明は、箱体の開口部を外蓋片と内蓋片により閉鎖し、開封後に再封可能な差込片が設けられる包装用箱に関する。
【背景技術】
【０００２】
従来、収容物を収容して搬送し店頭に陳列するための包装用箱として、一枚のブランクシートから一体的に打ち抜かれた箱体形成片を立体的に組み立てたものがある。このような包装用箱の一形態として、箱体の開口部を、外蓋片と内蓋片を重ねて糊付けし閉鎖するシールエンドカートン型があり、シールエンドカートン型の包装用箱において、開封した後にも再封可能にする機能が設けられたものがある。
【０００３】
例えば、特許文献１に開示されている平面状再封蓋は、対向する側板の上縁から表側折り返し片と、表側折り返し片の裏面に重ねられる裏側折り返し片が設けられている。表側折り返し片には、係止片が設けられている。そして、表側折り返し片に設けられた係止片が裏側折り返し片の端縁に係止することにより再封されるものである。
【０００４】
特許文献２に開示されている再封緘機能付き包装箱は、対向する側板の上縁から内蓋フラップと外蓋フラップをそれぞれ延出し、内蓋フラップには切込により差込片が形成され、内蓋フラップの先端側には摘み部が連接されている。外蓋フラップには差込穴が形成され、外蓋フラップの先端側には切目線に挟まれた横方向の引裂帯を設け、引裂帯より先端側で外蓋フラップを内蓋フラップに張り合わせて封緘する。そして、引裂帯を引裂いて、外蓋フラップを切断すると開封され、内蓋フラップの差込片を外蓋フラップの差込穴に差し込むことにより再封緘されるものである。
【０００５】
特許文献３に開示されている包装用箱は、対向する側板の上縁から内蓋片と外蓋片がそれぞれ延設され、内蓋片の先端部に中蓋片が折罫線で区切られて設けられ、中蓋片の先端部には再封片が折罫線で区切られて延設されている。内蓋片と側板の間には開封用切込線が設けられ、開封により切り離し可能に設けられている。そして、組立状態で、中蓋片は内蓋片に折り重ねて糊付けされ、内蓋片の外側に外蓋片が糊付けされて包装される。開封する時は、開封用切込線を破断して、内蓋片が糊付けされた状態で外蓋片を開口する。再封する時は、外蓋片に連続する再封片を開口端部に差し込むものである。
【先行技術文献】
【特許文献】
【０００６】
【特許文献１】特開平８−１９２８３６号公報
【特許文献２】特開２００６−７６６４１公報
【特許文献３】特開２０１２−１７１６７７号公報
【発明の概要】
【発明が解決しようとする課題】
【０００７】
上記背景技術の特許文献１は、係止片が表側折り返し片に、係止切り込みによって形成されているため、再封した時に係止片が表側折り返し片から離れて、表側折り返し片に僅かの開口部が形成される。このため、再封時も開口部からほこり等の異物が侵入する恐れがあり、封止が十分ではない。また、再封する時と、再封した状態から再び開封する時に、摘まむところがないため操作がやりにくいものである。さらに、係止片が小さいため、差し込みにくいものである。
【０００８】
特許文献２の場合も、差込片は内蓋フラップに切込によって形成されているため、再封したときに差込片が内蓋フラップから離れて、内蓋フラップに僅かの開口部が形成される。このため、再封時も開口部からほこり等の異物が侵入する恐れがあり、特許文献１と同様に封止が十分ではない。また、摘み部は横に長い形状であり、再封する時と、再封した状態から再び開封する時に保持しにくく、また差込片も小さく、特許文献１と同様に操作性が良くないものである。
【０００９】
特許文献３の場合、箱体形成片の紙面積を多く必要とし、コストがかかるものである。また、箱体の形成に特殊な糊付け方法が必要であり、この点からもコストがかかる。
【００１０】
この発明は、上記背景技術の問題点に鑑みてなされたものであり、簡単な組立方法で作られ、再封と開封を容易に行うことができ、再封した時は確実に封止される包装用箱を提供することを目的とする。
【課題を解決するための手段】
【００１１】
本発明は、一枚のブランクシートの箱体形成片から成り、筒体に組み立てられた側面と、前記側面の１つに折罫線で区切られて設けられ前記筒体の上方の開口端部を閉鎖する外側上蓋片と、前記外側上蓋片が設けられた前記側面と平行に位置する側面に折罫線で区切られて設けられ前記外側上蓋片の裏面に重ねられる内側上蓋片が設けられている包装用箱である。前記内側上蓋片には、前記外側上蓋片に糊付けされる糊付部が設けられ、前記糊付部は、前記内側上蓋片が設けられた前記側面と前記内側上蓋片との間の折罫線に向かって開口して前記内側上蓋片内に形成された切込線で囲まれて形成され、前記内側上蓋片が設けられた前記側面には、該側面から前記内側上蓋片を分離する開封用破断線が設けられ、開封時には、前記開封用破断線が分離されて前記内側上蓋片が前記外側上蓋片に糊付けされた状態で開封される。再封する際は、前記内側上蓋片の前記切込線で前記糊付部と区切られた周囲の部分を前記外側上蓋片から外し、前記内側上蓋片は前記切込線の開口した側がヒンジとなって外側上蓋片に連結し、前記筒体の裏面に差し込んで再封する差込片となる。
【００１２】
前記糊付部を囲む前記切込線は、前記側面と前記内側上蓋片との間の前記折罫線に対して平行な直線と、この直線に連続し前記側面と前記内側上蓋片との間の前記折罫線に達する一対の脚に沿ってコの字形に形成されている。
【００１３】
前記切込線の前記折罫線に対して平行な前記直線に沿う部分は、紙面の厚みを貫通する全切線で形成され、前記一対の脚に沿う部分は紙面の厚みの約半分を表面側からカットした表半切線で形成されている。
【００１４】
また、前記内側上蓋片の、前記側面と反対側の端部の中央には凹部が設けられ、前記凹部の両側は外側に膨出する円弧で形成され、２つの波が連続する波形になっている。
【００１５】
開封用破断線は、前記内側上蓋片が設けられた端部から離れる方向に膨出する円弧で形成され、前記開封用破断線と前記側面の端部で囲まれた半円形状の部分は、前記包装用箱を開封及び再封する際に保持する摘み部となる。
【００１６】
前記外側上蓋片には、前記側面との間の前記折罫線と反対側の端部に近い位置に、前記折罫線に対して略平行な折曲線が設けられている。
【発明の効果】
【００１７】
本発明の包装用箱は、簡単な組立方法で作られ、再封と開封を容易に行うことができる。さらに、比較的小さい紙面積の箱体形成片で大きい差込片と摘み部を設けることができる。箱体形成片の紙面積と、組立方法は、従来の再封機能がないシンプルなシールエンドカートン型の包装用箱と同じであり、既存の包装機械で包装が可能である。また、差込片の面積が大きく設けられているため、再封した時は確実に封止することができる。しかも摘み部の面積も大きく、再封と開封の操作の際に摘み部を容易に保持して簡単に操作することができる。
【図面の簡単な説明】
【００１８】
【図１】この発明の一実施形態の包装用箱の開封した状態を示す斜視図（ａ）と、再封する工程を示す斜視図（ｂ）である。
【図２】この発明の一実施形態の包装用箱の再封した状態を示す斜視図である。
【図３】この発明の一実施形態の包装用箱の斜視図である。
【図４】この発明の一実施形態の包装用箱の展開図である。
【図５】この発明の一実施形態の包装用箱を開封した時の、内側上蓋片が外側上蓋片に貼られている状態を示す正面図（ａ）と、内側上蓋片を外側上蓋片から剥がした状態を示す正面図（ｂ）である。
【発明を実施するための形態】
【００１９】
以下、この発明の実施形態について図面に基づいて説明する。図１〜図４はこの発明の一実施形態を示すもので、この実施形態の包装用箱１０は、紙製等の一枚のブランクシートを打ち抜いて形成された箱体形成片１２を組み立てて設けられている。
【００２０】
図４は、箱体形成片１２を表面から見た展開図であり、箱体形成片１２は、側面１４，１６，１８，２０が、互いに平行に連接して形成されている。側面１４，１６，１８，２０は、連接方向と直交する幅方向の長さは同じ長さであり、それと直交する連接方向の長さは、側面１４，１８が短くて互いに等しく、側面１６，２０が少し長くて互いにほぼ等しい。側面２０の側縁部には、包装用箱１０の組立状態で側面１４の裏面に糊付けされる糊付片２２が設けられている。側面１４，１６，１８，２０、糊付片２２は、各々折罫線２４，２６，２８，３０で区切られている。
【００２１】
側面１４の、側面同士の連接方向に対して直角な方向の一端部には、小さい台形のフラップ３２が折罫線３４で区切られて設けられている。側面１４の、折罫線３４と反対側の端部には、フラップ３２と同形状のフラップ３６が折罫線３８で区切られて設けられている。
【００２２】
側面１６の、側面１４の折罫線３４に隣接する端部には、矩形の外側上蓋片４０が折罫線４２で区切られて設けられている。外側上蓋片４０は、包装用箱１０の組立状態で、側面１４，１６，１８，２０を組み立てて形成される筒体の端部の開口部とほぼ同じ大きさである。外側上蓋片４０には、折罫線４２と反対側の端部４０ａに近い位置に、折罫線４２に対して略平行な折曲線４１が設けられている。側面１６の、折罫線４２と反対側の端部には、外側上蓋片４０と同形状の外側底蓋片４４が折罫線４６で区切られて設けられている。
【００２３】
側面１８の、側面１６の折罫線４２に隣接する端部には、台形状のフラップ４８が折罫線５０で区切られて設けられている。側面１８の、折罫線５０と反対側の端部には、フラップ４８と同形状のフラップ５２が折罫線５４で区切られて設けられている。
【００２４】
側面２０の、側面１８の折罫線５０に隣接する端部には、外側上蓋片４０よりも小さい台形の内側上蓋片５６が折罫線５８で区切られて設けられている。内側上蓋片５６は、折罫線５８と反対側の端部５６ａの中心に円弧状の凹部６０が設けられ、凹部６０の両側は外側に膨出する円弧で形成され、２つの波が連続する波形になっている。内側上蓋片５６には、折罫線５８に連続する糊付部６２が設けられている。糊付部６２は、折罫線５８を下底とする台形状であり、折罫線５８に向かって開口するコの字形の切込線６４で囲まれて形成されている。切込線６４は、折罫線５８に対して平行な直線の上底と、上底に連続し折罫線５８に達する一対の脚に沿って形成され、上底に沿う部分は箱体形成片１２の紙面の厚みを貫通する全切線６５で形成され、一対の脚に沿う部分は紙面の厚みの約半分を表面側からカットした表半切線６６で形成されている。折罫線５８と、表半切線６６の端部の間には、短い切り残し部を有している。
【００２５】
側面２０には、折罫線５８近傍に開封用破断線６８が設けられている。開封用破断線６８は、折罫線５８から離れる方向に膨出する円弧で形成され、開封用破断線６８の両端部は、折罫線５８に達し、さらに折罫線５８に沿って互いに離れる方に延出している。開封用破断線６８と折罫線５８で囲まれた半円形状の部分は、包装用箱１０を開封したり再封したりする際に保持する摘み部６３となる。
【００２６】
側面２０の、折罫線５８と反対方向の端部には、外側底蓋片４４より小さい台形状の内側底蓋片７０が折罫線７２で区切られて設けられている。側面２０には、折罫線７２近傍に廃棄用破断線７４が設けられている。廃棄用破断線７４は、折罫線７２から離れる方向に膨出する円弧で形成されている。
【００２７】
次に、この実施形態の包装用箱１０の組立方法の一例について説明する。ここでは、図４が箱体形成片１２の表面から見た展開図であり、箱体形成片１２の表面が凸になる折り方を正折り、そして裏面が凸になる折り方を逆折りと称する。
【００２８】
まず糊付片２２の表面に糊７６を塗布し、折罫線２８を正折りする。さらに折罫線２４を正折りし、糊付片２２の表面は糊７６により側面１４の裏面に糊付けされる。これにより箱体形成片１２は折り畳み状態となり、この折り畳んだ状態で出荷される。
【００２９】
次に、収容物を収容し包装する工場において、折罫線２４，２６，２８，３０を各々９０°に正折りして四角形の筒体にする。そして、フラップ３６，５２を折罫線３８，５４で９０°に正折りし、次に内側底蓋片７０を折罫線７２で９０°に正折りする。内側底蓋片７０の表面に糊７８を塗布し、外側底蓋片４４を折罫線４６で９０°に正折りし、内側底蓋片７０の表面は糊７８により外側底蓋片４４の裏面に糊付けされる。これにより箱体の底面が完成する。この状態で図示しない収容物を中に入れる。
【００３０】
そして、フラップ３２，４８を折罫線３４，５０で各々９０°に正折りし、内側上蓋片５６を折罫線５８で９０°に正折りする。内側上蓋片５６の表面で糊付部６２に糊８０を塗布し、外側上蓋片４０を折罫線４２で９０°に正折りし、内側上蓋片５６の表面は糊８０により外側上蓋片４０の裏面に糊付けされる。これにより、図３に示すように包装が完了する。
【００３１】
包装用箱１０から収容物を取り出す時は、側面２０の開封用破断線６８の内側を押して開封用破断線６８を切断し、側面２０から摘み部６３を分割する。分割された摘み部６３を保持して側面２０から引き起こし、さらに引き上げて、側面２０と内側上蓋片５６を分離して、図１（ａ）、図５（ａ）に示すように包装用箱１０を開封する。そしてフラップ３２，４８を開いて開口させて収容物を取り出す。
【００３２】
収容物の一部を使用して残りを包装用箱１０に入れて再封する時は、図１（ａ）、図５（ａ）に示すように、外側上蓋片４０の裏面に糊８０で糊付けされている内側上蓋片５６を、凹部６０または端部５６ａに指を掛けて外側上蓋片４０から剥がす。すると、図５（ｂ）に示すように、内側上蓋片５６の表面５６ｃは切込線６４で切断され、糊付部６２が、切込線６４の全切線６５と表半切線６６によって紙面の厚みの途中で剥がされる。剥がされた表面５６ｃは、外側上蓋片４０に貼着されて残り、剥がされた裏面を含む内側上蓋片５６は、切込線６４のコの字形の開口した部分がヒンジとなり、外側上蓋片４０の端部４０ａに連結され、再封する際の差込片５７となる。ヒンジは、紙面の厚みの半分で設けられているため、内側上蓋片５６である差込片５７は外側上蓋片４０に対して柔軟に角度を変えることができる。
【００３３】
そして、図１（ｂ）に示すように摘み部６３を保持して外側上蓋片４０を折罫線４２で９０°に正折りし、内側上蓋片５６を、側面２０の端部から側面２０の裏面に差し込んで係止し、図２に示すように、再封する。このとき、摘み部６３は側面２０から外側に突出する。包装用箱１０を再び開封する際は、摘み部６３を保持して引き上げ、外側上蓋片４０を開封する。
【００３４】
使用後に、包装用箱１０を廃棄する時は、側面２０の廃棄用破断線７４を切断して、筒体の側面を平坦に折り畳む。
【００３５】
この実施形態の包装用箱１０によれば、簡単な組立方法で作られ、比較的小さい紙面積の箱体形成片１２で大きい差込片５７と摘み部６３を設け、再封と開封を容易に行うことができる。箱体形成片の紙面積と、組立方法は、再封機能がないシンプルなシールエンドカートン型の包装用箱と同じであり、既存の包装機械で包装が可能である。さらに、シンプルな形状であり、収容物が引っ掛かる等のトラブルが少なく、作業効率が良い。その他、差込片５７により、再封の操作が容易であり、再封した時は確実に封止することができる。摘み部６３の面積が大きく設けられているため、再封と開封の操作の際に摘み部６３を容易に保持して簡単に操作することができる。内側上蓋片５６の端部５６ａは、中央に凹部６０が設けられて２個の波が連続する波形になっているため、内側上蓋片５６を引き起こす時に指を掛ける位置がわかり易く、内側上蓋片５６を外側上蓋片４０から剥がして差込片５７とする方法を使用者に知らせることができる。また、外側上蓋片４０折曲線４１により、差込片５７を内側上蓋５６からスムーズに剥がすことができる。
【００３６】
なお、この発明の包装用箱は、上記実施形態に限定されるものではなく、箱体の大きさ、素材、各部材の形状等は適宜変更可能である。底部の形状は、シールエンドカートン型以外でもよい。糊付部の形状は台形状以外でもよく、糊付部を囲むコの字形の切込線は、全長にわたって全切線で設けてもよく、その場合、切込線の両端部と開封用破断線との間の切り残し部がヒンジとなる。さらに、切込線は、全長にわたって半切線を設けてもよく、またミシン線やジッパー線等でもよい。摘み部の形状は半円形以外でもよく、摘みやすいものであればよい。内側上蓋片の端部の形状も波形以外でもよく、使用者にわかりやすいものであればよい。その他、内側上蓋片の裏側に、開封案内が印刷により付されたものでも良い。
【符号の説明】
【００３７】
１０  包装用箱
１２  箱体形成片
１４，１６，１８，２０  側面
４０  外側上蓋片
４０ａ  端部
４１  折曲線
４２  折罫線
５６  内側上蓋片
５７  差込片
６２  糊付部
６３  摘み部
６４  切込線
６５  全切線
６６  表半切線
６８  開封用破断線
８０  糊
【図１】
0006739909.tif 000002
【図２】
0006739909.tif 000003
【図３】
0006739909.tif 000004
【図４】
0006739909.tif 000005
【図５】
0006739909.tif 000006